(57)【特許請求の範囲】
【請求項１】
電気機器や電気器具から引き出される配電線を曲げて所定の方向に送るために、クセを付けて曲げられた配電線を曲げたまま保持する電線保持具であって、
配電線の外径よりも大きい内径を有するチューブ状に形成され、
配電線を当該電線保持具内に挿入するための開口であって前記内径よりも幅が狭い筋状の開口部が当該電線保持具の軸方向の一端から他端まで設けられ、
前記軸方向の中程で９０°以上の角度に折り曲げられ、
前記開口部は、
当該電線保持具の一端側から他端側に向かって捻られた形状に形成されるとともに、当該電線保持具の一端側と他端側とで１８０°異なる方向に向かって開口し、また、前記チューブの折り曲げ部分の外側を通って半周して開口する形状に形成されていることを特徴とする電線保持具。
【請求項２】
請求項１に記載の電線保持具において、
前記角度は、９０°〜１３０°であることを特徴とする電線保持具。
【請求項３】
請求項２に記載の電線保持具において、
前記角度は、約１００°であることを特徴とする電線保持具。
【請求項４】
請求項１〜３のいずれかに記載の電線保持具において、
前記開口部は、
当該電線保持具の中心軸に対し、前記角度をなす側に偏って設けられていることを特徴とする電線保持具。
【発明の詳細な説明】
【技術分野】
【０００１】
本発明は、電線保持具に関する。
【背景技術】
【０００２】
配電用の変圧器やコンデンサ等に電気を引き込む各相の配電線には、カットアウトと呼ばれるヒューズ入りの箱状、筒状の碍子が接続されている。
そしてこのカットアウトから引き出される配電線は、隣接するカットアウトに接触しないように、クセを付けて曲げられた状態で配線されている。
【発明の開示】
【発明が解決しようとする課題】
【０００３】
しかし、図４に示すように、配電線１０のクセは経年変化及び風圧、冠雪等によってしだいにほぐれ、配電線１０は隣接するカットアウト１２に接触してしまうことがあった。
このような接触があると、配電線１０が燃えたり、カットアウト１２が焦げたり、破損したりする恐れがあった。
【０００４】
そこで本発明では、上述した問題点を解決し、経年変化等によっても電線を曲げたまま保持することが可能な電線保持具を提供することを目的とする。
【課題を解決するための手段】
【０００５】
上述した問題を解決するためになされた発明である請求項１に記載の発明は、電気機器や電気器具から引き出される配電線を曲げて所定の方向に送るために、クセを付けて曲げられた配電線を曲げたまま保持する電線保持具であって、配電線の外径よりも大きい内径を有するチューブ状に形成され、配電線を当該電線保持具内に挿入するための開口であって前記内径よりも幅が狭い筋状の開口部が当該電線保持具の軸方向の一端から他端まで設けられ、前記軸方向の中程で９０°以上の角度に折り曲げられ、前記開口部は、当該電線保持具の一端側から他端側に向かって捻られた形状に形成されるとともに、当該電線保持具の一端側と他端側とで１８０°異なる方向に向かって開口し、また、前記チューブの折り曲げ部分の外側を通って半周して開口する形状に形成されている。
【０００６】
この電線保持具に嵌めこまれた配電線は、電線保持具の内径が配電線の外径よりも大きいので、配電線の復元力により電線保持具の軸中心に対して偏って配置される。一方、この電線保持具の開口部の幅は電線保持具の内径よりも幅が狭い。そのため、この電線保持具に嵌めこまれた配電線は、電線保持具の内径と開口部の幅との間で差のある部分（図２（ｂ）において記号βで示した部分）に引っ掛かり、電線保持具の曲がりに沿って曲げられた状態で電線保持具内に確実に保持される。
【０００７】
従って、この電線保持具を用いれば、経年変化等によっても配電線を曲げたまま保持することができる。
他に、この電線保持具を用いれば、配電線を９０°以上の角度に折り曲げた状態で確実に保持できるので、発明が解決しようとする課題の欄で述べたように、経年変化等により曲がりがほぐれた配電線が、隣接する電気機器や電気器具に接触して短絡する事故も確実に防止できる。
【０００８】
また、この電線保持具は、配電線を９０°以上の角度に折り曲げた状態で確実に保持できるので、電気機器や電気器具から引き出された配電線を、その電気機器や電気器具から確実に遠ざけることができる。そのため、この電線保持具を用いれば、電気機器や電気器具から引き出された配電線が、その電気機器や電気器具に接触して短絡する事故をも確実に防止
することができる。
【０００９】
尚、この請求項１に記載された角度は、チューブ状のものを折り曲げたものであるので、１８０°未満である。
次に、請求項２に記載したように、角度は、９０°〜１３０°であることが好ましい。１３０°より大きいと隣接する電気機器や電気器具に配電線が接触し、９０°以下であると、配電線が引き出された電気機器や電気器具に配電線が接触して、短絡する恐れがあるからである。とりわけ、請求項３に記載したように、角度は、約１００°であることが好ましい。
【００１０】
ところで、前述したように、電線保持具に嵌めこまれた配電線は、その復元力により電線保持具の軸中心に対して、請求項１で記載した折り曲げによって９０°以上の角度をなす側とは反対側（図２（ａ）では記号イで示した側）に偏って配置される。
【００１１】
そこで、この請求項４に記載の電線保持具のように、開口部は、この電線保持具の中心軸に対し、請求項１で記載した折り曲げによって９０°以上の角度をなす側（言い換えると、配電線が偏る側とは反対側、図２（ａ）では記号アで示した側）に偏って設けられていることが好ましい。
【００１２】
これによれば、配電線が偏る側では、電線保持具の内径と開口部の幅との差の部分（図２（ｂ）において記号βで示した部分）が、このように構成しない場合に比べて大きくなるので、電線保持具内に嵌め込まれた配電線はこの部分に引っ掛かかり、曲げられた状態で電線保持具内により確実に保持される。
【発明を実施するための最良の形態】
【００１３】
以下、本発明が適用された実施形態について図面を用いて説明する。
ここで、図１は、本実施形態の電線保持具１の説明図で、（ａ）は平面図、（ｂ）は側面図である。図２は、本実施形態の電線保持具１で配電線１０を保持する様子を説明するための説明図で、（ａ）は平面図、（ｂ）は側面図である。
【００１４】
尚、図４で示した符号を付して説明することができるものは、以下の説明においても、同じ符号を付して説明する。
１．全体構成
本実施形態の電線保持具１は、主に、カットアウト１２から引き出される配電線１０を曲げて所定の方向に送るために、配電線１０を曲げたまま保持するものである。
【００１５】
この電線保持具１は、図１に示すように、ポリカーボネイトあるいは、高密ポリエチレン、ナイロン等の合成樹脂を用いてチューブ状に形成されている。また、この電線保持具１は、図２（ｂ）に示すように、配電線１０の外径１０ａよりも大きい内径２で形成され、さらに、図１（ａ）に示すように、電線保持具１の軸方向の中程で１００°の角度で折り曲げられている。
【００１６】
また、この電線保持具１には、配電線１０を電線保持具１内に挿入するための開口であって電線保持具１の内径２よりも幅が狭い筋状の開口部３（図１（ｂ）参照）が、軸方向の一端から他端まで設けられている。そして、この開口部３は、図１に示すように、電線保持具１の一端側から他端側に向かって、軸を中心に時計周りに捻られた形状に設けられているとともに、電線保持具１の一端側と他端側とで１８０°異なる方向に向かって開口している。またこの開口部３は、電線保持具１が折り曲げられた部分では、折り曲げによって１００°の角度をなす側（図１（ａ）では記号アで示した側）とは反対側（図１（ａ）では記号イで示した側）を通って形成されている。
【００１７】
さらに、この電線保持具１の開口部３は、図１（ａ）に示すように、折り曲げが行われていない部分では、この電線保持具１の中心軸１ａに対し、１００°の角度をなす側（図１（ａ）では記号アで示した側）に偏って設けられている。この点、図１では、開口部３の幅方向と平行な方向で見て、開口部３の幅方向の中心３ａが、電線保持具１の中心軸１ａに対し、符号αで示された幅の分だけ、１００°の角度をなす側（図１（ａ）では記号アで示した側）に偏って形成されていることを図示することで示している。
２．使用方法
上述のように構成された電線保持具１を用いて配電線１０を曲げた状態に保持する場合、まず、この電線保持具１の曲げられた地点から見て軸方向の一方の側の開口部３に配電線１０を宛がい、電線保持具１を配電線１０に強く押し当て、開口部３をやや押し開いて、配電線１０を電線保持具１内に嵌め込む。
【００１８】
次に、この配電線１０が取り付けられた部分の電線保持具１と配電線１０とを把持しつつ、電線保持具１を配電線１０に嵌め込む方向とは反対側に配電線１０を引き寄せ、その引き寄せに伴って、電線保持具１が曲げられた部分の開口部３に配電線１０を嵌め込んでいく。
【００１９】
そして、この電線保持具１の曲げられた地点から見て軸方向の他方の側の開口部３に対向する位置まで配電線１０を引き寄せ、この開口部３に対向する位置に配電線１０が来たら、配電線１０を開口部３に強く押し当て、開口部３を押し開いて配電線１０を電線保持具１に嵌め込む。
【００２０】
すると、図２（ａ）に示すように、カットアウト１２から引き出された配電線１０は、この電線保持具１により所定の方向に折り曲げられて保持される。
３．電線保持具１の特徴的な作用
この電線保持具１に開口部３を介して嵌めこまれた配電線１０は、図２（ｂ）に示すように、電線保持具１の内径２が配電線１０の外径１０ａよりも大きいので、配電線１０の復元力により電線保持具１の軸中心に対して偏って配置される。一方、この電線保持具１の開口部３の幅は電線保持具１の内径よりも幅が狭い。そのため、この電線保持具１に嵌めこまれた配電線１０は、電線保持具１の内径２と開口部３の幅との間で差のある部分（図２（ｂ）において記号βで示した部分）に引っ掛かり、電線保持具１の曲がりに沿って曲げられた状態で電線保持具１内に確実に保持される。
【００２１】
しかも、この電線保持具１の開口部３は、１００°の角度をなす側（言い換えると、配電線１０が偏る側とは反対側、図２（ａ）では記号アで示した側）に偏って設けられている。そのため、前述した差の部分（図２（ｂ）において記号βで示した部分）が、このように構成しない場合に比べて大きくなり、電線保持具１内に嵌め込まれた配電線１０はこの部分βに引っ掛かかって、曲げられた状態で電線保持具１内により確実に保持される。
【００２２】
従って、この電線保持具１を用いれば、経年変化等によっても配電線１０を曲げたまま保持することができる。
他に、この電線保持具１を用いれば、図３に示すように、配電線１０を１００°の角度に折り曲げた状態で確実に保持できるので、発明が解決しようとする課題の欄で述べたように、経年変化等により曲がりがほぐれた配電線１０が、隣接するカットアウト１２に接触して短絡する事故も確実に防止できる。
【００２３】
また、この電線保持具１は、配電線１０を１００°の角度に折り曲げた状態で確実に保持できるので、カットアウト１２から引き出された配電線１０を、そのカットアウト１２０から確実に遠ざけることができる。そのため、この電線保持具１を用いれば、カットアウト１２から引き出された配電線１０が、そのカットアウト１２に接触して短絡する事故をも確実に防止することができる。
【００２４】
またこの電線保持具１は、図２（ａ）に示すように、配電線１０を嵌め込む開口部３が、この電線保持具１の一端側と他端側とで１８０°異なる方向に向かって開口した１回捻られた形状に形成されているだけなので、配電線１０を簡単に嵌め込むことができる。
【００２５】
また、この電線保持具１は、開口部３が１回捻られただけの簡単な構成であるので凹凸が少なく、また、この電線保持具１に配電線１０が嵌め込まれると、配電線１０は、電線保持具１の中心軸１ａに対して偏って配置されるので、図２（ｂ）に示すように、配電線１０と電線保持具１の内壁との間に隙間４が生じる。そのため、この電線保持具１に海水が付着しても凹凸部分に海水がたまらないばかりか、隙間４を介して外部に流れ出してしまう。従って、この電線保持具１を用いると、海水が付着して塩が溜り、この溜まった塩により配電線１０が傷む塩害を確実に防止することができる。
４．実施形態と発明特定事項との対応関係
本実施形態の配電線１０は、本発明の電線に相当する。また、本実施形態のカットアウト１２は、本発明の送電機器や電気器具に相当する。
（その他の実施形態）
上記実施形態では、時計周りに捻った形状の開口部３を備えた電線保持具１について説明したが、開口部３を軸周りに反時計周りに捻った形状に形成してもよい。
【００２６】
上記実施形態では、カットアウト１２から引き出された配電線１０に用いる場合について説明したが、柱上変圧器や、コンデンサ、避雷器、開閉器など、各種電気機器や器具から引き出され、あるいはこれらの電気機器や器具に引き込まれる電線に用いることができることはもちろんである。
【００２７】
上記実施形態では、１００°に折り曲げた電線保持具１について説明したが、この折り曲げ角度は、９０°以上であることが好ましく（１８０°未満）、実用的には、電気機器や電気器具間の間隔などにより、この折り曲げ角度は、９０°〜１３０°の範囲であることが好ましい。
【００２８】
また、本発明は、特許請求の範囲に記載された発明の趣旨に合致するものであればよく、上述の実施形態に限定されるものではない。
【図面の簡単な説明】
【００２９】
【図１】本実施形態の電線保持具の説明図で、（ａ）は平面図、（ｂ）は側面図である。
【図２】本実施形態の電線保持具で配電線を保持する様子を説明するための説明図で、（ａ）は平面図、（ｂ）は側面図である。
【図３】本実施形態の電線保持具で配電線を曲げた状態でカットアウトから引き出した様子を説明するための説明図である。
【図４】従来から行われている、カットアウトから配電線を引き出す方法を説明するための説明図である。
【符号の説明】
【００３０】
１…電線保持具、２…内径、３…開口部、４…隙間、１０…配電線、１２…カットアウト
【図１】
0005490984.tif 000002
【図２】
0005490984.tif 000003
【図３】
0005490984.tif 000004
【図４】
0005490984.tif 000005